(57)【特許請求の範囲】
【請求項１】
第１の胴と、
前記第１の胴に対接する第２の胴と、
前記第２の胴の周囲に複数設けられ、この第２の胴に対接して当該第２の胴にインキを転写する第３の胴とを備えた印刷機において、
前記第２の胴の前記第１の胴に対する印圧を調整する第２の胴用印圧調整装置と、
前記第３の胴の前記第２の胴に対する印圧を調整する第３の胴用印圧調整装置と、
前記第２の胴用印圧調整装置による前記第２の胴の前記第１の胴に対する印圧調整に応じて前記第３の胴用印圧調整装置を制御する制御装置とを備え、
前記第３の胴用印圧調整装置は、
前記第３の胴の軸線方向の一端側において前記第２の胴に対する印圧を調整する原動側印圧調整装置と、
前記第３の胴の軸線方向の他端側において前記第２の胴に対する印圧を調整する操作側印圧調整装置とを有し、
前記制御装置は、前記第２の胴の前記第１の胴に対する印圧調整前後で前記第３の胴の前記第２の胴に対する印圧が同じとなるように、前記原動側印圧調整装置と操作側印圧調整装置とを個別に制御することを特徴とする印刷機。
【請求項２】
前記第２の胴の位置を検出する第２の胴位置検出手段を備え、
前記制御装置は、前記第２の胴位置検出手段の検出値に基づいて前記第３の胴用印圧調整装置を制御することを特徴とする請求項１記載の印刷機。
【請求項３】
前記第１の胴が凹版胴であり、
前記第２の胴がコレクト胴であり、
前記第３の胴がシャブロン胴であることを特徴とする請求項１記載の印刷機。
【発明の詳細な説明】
【技術分野】
【０００１】
本発明は、特に、紙幣や有価証券等を印刷する場合に適用すると有効な印刷機に関するものである。
【背景技術】
【０００２】
この種の印刷機として、特許文献１に記載されたものがある。この特許文献１に記載された印刷機は、第３の胴としての複数のシャブロン胴からの複数色のインキを第２の胴としてのインキ集合胴（コレクト胴）に転写させ、このインキ集合胴のインキを第１の胴としての凹版胴に転写させ、この凹版胴のインキを圧胴に保持され搬送されるシートに転写するものである。このような構成の印刷機において、凹版胴に対するインキ集合胴の印圧を調整して、凹版胴へのインキの転写状態を調整することが行われるが、インキ集合胴の印圧を調整する、すなわち、インキ集合胴の位置を調整すると、インキ集合胴の周囲に配設された複数のシャブロン胴のインキ集合胴に対する印圧が変化してしまうので、各シャブロン胴の印圧も調整しなければならないため、調整作業が面倒で時間がかかるという問題があった。
【０００３】
この印圧の調整作業として、集合ゴム胴の周囲に複数の版胴が配置された印刷機において、集合ゴム胴の移動量に応じて各版胴も移動させるものがある（例えば、特許文献２参照）。
【先行技術文献】
【特許文献】
【０００４】
【特許文献１】特開２０００−１２７３４９号公報
【特許文献２】実用新案登録第２５２４２８９号公報
【発明の概要】
【発明が解決しようとする課題】
【０００５】
上述したような特許文献２に記載された構成では、版胴の集合ゴム胴に対する印圧調整を左右個別に行うことができないため、より一層の高品質な印刷を行うための調整ができないという問題があった。
【０００６】
本発明は上記した従来の問題に鑑みなされたものであり、その目的とするところは、第３の胴の第２の胴に対する印圧調整を左右個別に行うことができるとともに、第３の胴の第２の胴に対する印圧を変えずに、第２の胴の第１の胴に対する印圧調整を行うことができる印刷機を提供するところにある。
【課題を解決するための手段】
【０００７】
この目的を達成するために、本発明は、第１の胴と、前記第１の胴に対接する第２の胴と、前記第２の胴の周囲に複数設けられ、この第２の胴に対接して当該第２の胴にインキを転写する第３の胴とを備えた印刷機において、前記第２の胴の前記第１の胴に対する印圧を調整する第２の胴用印圧調整装置と、前記第３の胴の前記第２の胴に対する印圧を調整する第３の胴用印圧調整装置と、前記第２の胴用印圧調整装置による前記第２の胴の前記第１の胴に対する印圧調整に応じて前記第３の胴用印圧調整装置を制御する制御装置とを備え、前記第３の胴用印圧調整装置は、前記第３の胴の軸線方向の一端側において前記第２の胴に対する印圧を調整する原動側印圧調整装置と、前記第３の胴の軸線方向の他端側において前記第２の胴に対する印圧を調整する操作側印圧調整装置とを有し、前記制御装置は、前記第２の胴の前記第１の胴に対する印圧調整前後で前記第３の胴の前記第２の胴に対する印圧が同じとなるように、前記原動側印圧調整装置と操作側印圧調整装置とを制御するものである。
【０００８】
本発明は、前記発明において、前記第２の胴の位置を検出する第２の胴位置検出手段を備え、前記制御装置は、前記第２の胴位置検出手段の検出値に基づいて前記第３の胴用印圧調整装置を制御するものである。
【０００９】
本発明は、前記発明のいずれか一つの発明において、前記第１の胴が凹版胴であり、前記第２の胴がコレクト胴であり、前記第３の胴がシャブロン胴である。
【発明の効果】
【００１０】
本発明によれば、第２の胴の第１の胴に対する印圧調整の前と後とで第３の胴の第２の胴に対する印圧を変えずに、第３の胴の第２の胴に対する印圧調整を自動的に行えるため、面倒な調整作業が不要になるとともに、正確な調整を短時間で行うことができる。また、第３の胴の第２の胴に対する印圧調整を左右個別に行うことができるため、より一層高品質な印刷を行うための調整ができる。
【図面の簡単な説明】
【００１１】
【図１】本発明に係る印刷機の概略の構成を示す側面図である。
【図２】本発明に係る印刷機において、コレクト胴およびシャブロン胴の胴配列を原動側のフレームの外側から見た側面図である。
【図３】本発明に係る印刷機において、コレクト胴およびシャブロン胴の胴配列を原動側のフレームの内側から見た側面図である。
【図４】本発明に係る印刷機において、コレクト胴の通水構造を説明するための断面図である。
【図５】図２におけるV-V 線断面図である。
【図６】図２におけるVI部の拡大図である。
【図７】本発明に係る印刷機において、シャブロン胴の天地方向見当装置および左右方向見当装置の断面図である。
【図８】本発明に係る印刷機において、シャブロン胴の胴着脱装置および印圧調整装置を示す原動側のフレームの断面図である。
【図９】本発明に係る印刷機において、シャブロン胴の胴着脱装置および印圧調整装置および通水構造を示す操作側のフレームの断面図である。
【図１０】本発明に係る印刷機において、シャブロン胴の天地方向見当装置および左右方向見当装置のエンコーダを一部を破断して示す要部の側面図である。
【図１１】本発明に係る印刷機において、シャブロン胴の通水構造を示す断面図である。
【図１２】本発明に係る印刷機において、シャブロン胴の通水装置を示す操作側フレームの断面図である。
【図１３】本発明に係る印刷機において、凹版胴の通水装置を説明するための斜視図である。
【図１４】本発明に係る印刷機において、シャブロン胴の版万力装置を示す断面図である。
【図１５】本発明に係る印刷機におけるシャブロン胴のコレクト胴に対する印圧の調整方法を説明するためのテーブルであって、同図（Ａ）はコレクト胴と凹版胴との芯間調整量に対する各シャブロン胴の移動量を決めるテーブル、同図（Ｂ）はコレクト胴と凹版胴との芯間調整量に対する各シャブロン胴の許容調整幅を設けた場合の印圧の調整方法を説明するためのテーブルである。
【図１６】本発明に係る印刷機のブロック図である。
【発明を実施するための形態】
【００１２】
以下、本発明の実施の形態を図１ないし図１６に基づいて説明する。
【００１３】
図１に全体を符号１で示す印刷機は、積載された紙２を一枚ずつ給紙する給紙装置３と、この給紙装置３から給紙された紙２を搬送する３倍胴の圧胴４と、この圧胴４と対接する３倍胴の第１の胴としての凹版胴５と、この凹版胴５に対接する４倍胴の第２の胴としてのコレクト胴（インキ集合胴）６と、このコレクト胴６の周囲に配置された五個の第３の胴としての第１ないし第５シャブロン胴（インキ転写胴）７１ないし７５と、圧胴４と版胴５との間で印刷された紙２を排紙する排紙装置８とによって概ね構成されている。
【００１４】
紙２が積載された給紙装置３には、当該給紙装置３のサッカ装置（図示せず）によって上層から一枚ずつ送り出された紙２を受けて印刷見当を合わせる差板１１が連絡されている。差板１１には、印刷見当を合わせられた紙２をくわえて揺動するスイング装置１２が配設されている。圧胴４はフレーム１３に支持されており、スイング装置１２によってくわえられた紙２を渡し胴１４を介してくわえ替えるくわえ爪を支持する三本の爪竿（いずれも図示せず）が周方向に沿って等間隔をおいて設けられている。この圧胴４の周面には、周方向に沿って三枚のゴム製のブランケットが装着されている。
【００１５】
凹版胴５はフレーム１３に支持されており、周面には周方向に沿って三枚の凹版が装着されている。この凹版胴５の回転方向におけるコレクト胴６の下流側には、凹版の表面に付着した余分なインキを除去するワイピングローラ１７が対接しており、このワイピングローラ１７はワイピングタンク１８内に貯留された洗浄液に浸漬されている。
【００１６】
コレクト胴６は原動側フレーム２０Ａおよび操作側フレーム２０Ｂに支持されており、周面には周方向に沿って四枚のゴム製のブランケット１９（図４参照）が装着されている。第１ないし第５シャブロン胴７１ないし７５はフレーム２０に支持されており、圧胴４のブランケットや版胴５の凹版の長さに対応した周面長をなす、いわゆる単胴を形成している。各シャブロン胴７１ないし７５には、図３に示すように、インキ壺２１、壷ローラ２２、着ローラ２３、振りローラ２４とからなるインキ装置２５が設けられており、これらインキ装置２５のインキ壺２１内には、互いに異なる色のインキが各々充填されている。
【００１７】
排紙装置８には、圧胴４に対接する排紙胴２６が備えられており、この排紙胴２６と同軸上に設けられたスプロケット（図示せず）と排紙装置８の前端部に設けられたスプロケット２７との間には、左右一対の排紙チェーン２８が張架されている。これら左右一対の排紙チェーン２８間に一定間隔をおいて支架された各爪竿には爪と爪台とからなる複数組のくわえ爪装置（いずれも図示せず）が並設されており、排紙チェーン２８の下流側には、複数の排紙パイル２９が備えられている。
【００１８】
このように構成された印刷機１において、給紙装置３から差板１１上へ一枚ずつ送り出された紙２がスイング装置１２から渡し胴１４を介して圧胴４のくわえ爪にくわえ替えられて搬送される一方、各インキ装置２５のインキがシャブロン胴７１〜７５を介してコレクト胴６に転写されて凹版胴５の凹版上に供給され、当該インキの余剰分がワイピングローラ１７によって取り除かれ、紙２が圧胴４と版胴５との間を通過することにより、紙２にインキが転写され印刷され、紙２が排紙胴２６を介して排紙装置８の排紙チェーン２８で搬送されて排紙パイル２９に排紙される。
【００１９】
次に、図２および図４ないし図６を用いて、コレクト胴６の凹版胴５に対するコレクト胴用胴着脱装置およびコレクト胴用印圧調整装置ならびにコレクト胴用通水構造について説明する。先ず、図２、図４、図５を用いてコレクト胴用胴着脱装置について説明する。このコレクト胴用胴着脱装置は、原動側フレーム２０Ａと操作側フレーム２０Ｂとに設けられているが、共に同じ構造を有しているので、ここでは原動側フレーム２０Ａに設けられた原動側コレクト胴用胴着脱装置３５Ａについてのみ説明し、必要に応じて操作側コレクト胴用胴着脱装置３５Ｂについても説明する。
【００２０】
原動側フレーム２０Ａと操作側フレーム２０Ｂとのそれぞれには、図４に示すように、コレクト軸３０の回転中心に対して偏心した偏心メタル３２Ａ，３２Ｂが回転自在に嵌合され、これら偏心メタル３２Ａ，３２Ｂには、軸受３１Ａ，３１Ｂを介してコレクト胴６のコレクト軸３０が回転自在に支持されている。３０ａはコレクト軸３０の原動側の端軸に軸着された平歯車としてのコレクトギアであって、印刷機１の原動機の駆動が伝達される。
【００２１】
図５において、３６Ａはシリンダエンドがピン３７を介して原動側フレーム２０Ａに枢支されたコレクト胴着脱用原動側流体圧シリンダであって、コレクト胴着脱用原動側電磁弁３４Ａ（図１６参照）の駆動によりロッド３８Ａが進退する。原動側フレーム２０Ａと操作側フレーム２０Ｂとのそれぞれには、回動軸４０の回転中心に対して偏心した偏心メタル４２Ａ，４２Ｂが回転自在に嵌合され、これら偏心メタル４２Ａ，４２Ｂには、軸受４１Ａ，４１Ｂを介して回動軸４０が回転自在に支持されている。
【００２２】
この回動軸４０の原動側フレーム２０Ａの内側に位置する部位には、スリーブ４３Ａが軸着されており、このスリーブ４３Ａには、ピン４５Ａおよび連結子４４Ａを介して、コレクト胴着脱用原動側流体圧シリンダ３６Ａのロッド３８Ａが枢着されている。回動軸４０の原動側フレーム２０Ａの外側に突出した突出端部には、スリーブ４６Ａが軸着されており、このレバー４６Ａには連結杆４７Ａの一端部が枢着されている。
【００２３】
連結杆４７Ａの他端部は、図２に示すように偏心メタル３２Ａに固定され、当該偏心メタル３２Ａと一体的に回動するスリーブ４８Ａの突出端部にピン４９Ａを介して枢着されている。
【００２４】
このように構成されていることにより、コレクト胴着脱用原動側流体圧シリンダ３６Ａのロッド３８Ａが前進することにより、スリーブ４３Ａを介して、回動軸４０が図２において反時計方向に回動する。この回動軸４０の反時計方向への回動によって、スリーブ４６Ａが一体的に反時計方向に回動することにより、連結杆４７Ａを介してレバー４８Ａが反時計方向に回動するので、偏心メタル３２Ａも一体的に反時計方向に回動する。したがって、偏心メタル３２Ａの偏心作用によって、コレクト胴６が凹版胴５から離間する方向に移動し凹版胴５から脱する。
【００２５】
一方、コレクト胴着脱用原動側流体圧シリンダ３６Ａのロッド３８Ａが後退することにより、スリーブ４３Ａを介して、回動軸４０が図２において時計方向に回動する。この回動軸４０の時計方向への回動によって、スリーブ４６Ａが一体的に時計方向に回動することにより、連結杆４７Ａを介してレバー４８Ａが時計方向に回動するので、偏心メタル３２Ａも一体的に時計方向に回動する。したがって、偏心メタル３２Ａの偏心作用によって、コレクト胴６が凹版胴５に近接する方向に移動し凹版胴５に着する。
【００２６】
したがって、これらコレクト胴着脱用原動側流体圧シリンダ３６Ａ、スリーブ４３Ａ、回動軸４０、スリーブ４６Ａ、連結杆４７Ａ、レバー４８Ａ、偏心メタル３２Ａが、凹版胴に対するコレクト胴６の着脱を行う原動側フレーム２０Ａに設けられた原動側コレクト胴用胴着脱装置３５Ａを構成している。同様に、操作側フレーム２０Ｂには、図４および図５に示すように、コレクト胴着脱用原動側流体圧シリンダ３６Ｂ、スリーブ４３Ｂ、回動軸４０、スリーブ４６Ｂ、連結杆４７Ｂ、レバー４８Ｂ、偏心メタル３２Ｂからなる操作側コレクト胴用胴着脱装置３５Ｂが備えられている。
【００２７】
次に、図２、図５、図６を用いて、コレクト胴６の凹版胴５に対する印圧を調整する第２の胴用印圧調整装置としてのコレクト胴用印圧調整装置について説明する。このコレクト胴用印圧調整装置は、原動側フレーム２０Ａと操作側フレーム２０Ｂとに設けられているが、共に同じ構造を有しているので、ここでは原動側フレーム２０Ａに設けられたコレクト胴用原動側印圧調整装置５５Ａについてのみ説明し、必要に応じてコレクト胴用操作側印圧調整装置５５Ｂについても説明する。
【００２８】
コレクト胴用原動側印圧調整装置（第２の胴用印圧調整装置）５５Ａは、図６に示すように、コレクト胴用原動側印圧調整モータ５６Ａと、このコレクト胴用原動側印圧調整モータ５６Ａの駆動によって回転するウォーム５７Ａと、ウォーム５７Ａに噛合するセグメントウォームホィール５９Ａと、このセグメントウォームホィール５９Ａと一体的に回動する偏心メタル４２Ａと、上述した連結杆４７Ａおよびレバー４８Ａならびに偏心メタル３２Ａと、コレクト胴用原動側印圧調整モータ５６Ａの駆動量を検出するコレクト胴用原動側ポテンショメータ５８Ａとによって概ね構成されている。
【００２９】
コレクト胴用原動側印圧調整モータ５６Ａは、図６に示すように、ブラケット６１Ａを介して原動側フレーム２０Ａに固定されており、出力軸にはモータギア６２Ａが軸着されている。６３Ａはブラケット６１Ａおよび固定板６４Ａを介して原動側フレーム２０Ａに固定された支持板６５Ａに回転自在に支持された軸部材であって、一端側にモータギア６２Ａと噛合するギア６６Ａが軸着され、他端側に上記したウォーム５７Ａが軸着されている。
【００３０】
また、この軸部材６３Ａの一端部にはギア６７Ａが軸着されており、このギア６７Ａは、上記したコレクト胴用原動側ポテンショメータ５８Ａの被駆動軸に軸着されたギア６８Ａと噛合している。セグメントウォームホィール５９Ａは、偏心メタル４２Ａと一体的に回動するようにボルト６９Ａによって固定されている。
【００３１】
このように構成されていることにより、コレクト胴用原動側印圧調整モータ５６Ａを一方向に駆動することにより、モータギア６２Ａ、ギア６６Ａ、軸部材６３Ａ、ウォーム５７Ａ、セグメントウォームホィール５９Ａを介して、偏心メタル４２Ａが図２において反時計方向に回動する。
【００３２】
したがって、偏心メタル４２Ａの偏心作用によって、回動軸４０が図中左斜め下方に移動し、スリーブ４６Ａも一体的に左斜め下方に移動するため、連結杆４７Ａを介してレバー４８Ａが反時計方向に回動するので、偏心メタル３２Ａも一体的に反時計方向に回動する。したがって、偏心メタル３２Ａの偏心作用によって、コレクト胴６の凹版胴５に対する印圧が低くなる。
【００３３】
一方、コレクト胴用原動側印圧調整モータ５６Ａを前記一方向と反対方向の他方向に駆動することにより、モータギア６２Ａ、ギア６６Ａ、軸部材６３Ａ、ウォーム５７Ａ、セグメントウォームホィール５９Ａを介して、偏心メタル４２Ａが図２において時計方向に回動する。
【００３４】
したがって、偏心メタル４２Ａの偏心作用によって、回動軸４０が図中右斜め上方に移動し、スリーブ４６Ａも一体的に右斜め上方に移動するため、連結杆４７Ａを介してレバー４８Ａが時計方向に回動するので、偏心メタル３２Ａも一体的に時計方向に回動する。したがって、偏心メタル３２Ａの偏心作用によって、コレクト胴６の凹版胴５に対する印圧が高くなる。
【００３５】
操作側コレクト胴用印圧調整装置（第２の胴用印圧調整装置）５５Ｂは、図５に示すように、コレクト胴用操作側印圧調整モータ５６Ｂと、このコレクト胴用操作側印圧調整モータ５６Ｂの駆動によって回転するウォーム５７Ｂと、ウォーム５７Ｂに噛合するセグメントウォームホィール５９Ｂと、このセグメントウォームホィール５９Ｂと一体的に回動する偏心メタル４２Ｂと、上述した連結杆４７Ｂおよびレバー４８Ｂならびに偏心メタル３２Ｂと、コレクト胴用操作側印圧調整モータ５６Ｂの駆動量を検出するコレクト胴用操作側ポテンショメータ５８Ｂとによって概ね構成されている。
【００３６】
次に、図４を用いて、コレクト胴６の内部に通水する第２の胴用通水装置について説明する。コレクト胴６のコレクト軸３０の軸線方向両端部の中心部には、同心円上に配置された中心水路８１ａおよび外周水路８１ｂからなる配管８１と、同心円上に配置された中心水路８３ａおよび外周水路８３ｂからなる配管８３とが配管され、軸線方向中央部には、これら両配管８１，８３を連通する配管８２が配置されている。
【００３７】
配管８１の外周水路８１ｂの配管８２側の端部は栓８７によって塞がれ、中心水路８１ａが配管８２に連通されている。配管８３の外周水路８３ｂの配管８２側の端部は栓８８によって塞がれ、中心水路８３ａが配管８２に連通されており、中心水路８３ａと外周水路８３ｂとは、原動側フレーム２０Ａ側の端部において連通孔８３ｃを介して連通されている。
【００３８】
コレクト胴６の周部には、円周方向に等角度おいて複数本の配管８４が配置されており、この配管８４の一端は、コレクト胴６の一方の端部において半径方向に延在する配管８５を介して配管８３の外周水路８３ｂと連通されている。また配管８４の他端は、コレクト胴６の他方の端部において半径方向に延在する配管８６を介して配管８１の外周水路８１ｂと連通されている。
【００３９】
２７６はコレクト軸３０の操作側フレーム２０Ｂの端軸に設けられたロータリージョイントであって、配管８１の中心水路８３ａに給水する給水部２７６ａと同心管８１の外周水路８１ｂから排水される排水部２７６ｂとを備えている。排水部２７６ｂから排水された水は温度センサ２７７によって温度が検出され、熱交換器２７８に送水され、熱交換器２７８により冷却される。冷却された水はヒータ２７９を介して、ロータリジョイント２７６の給水部２７６ａに送水され、配管２７０の中心水路２７０ａに給水される。
【００４０】
制御装置３５０は、熱交換器２７８によって冷却された水を加温する必要があると判断したときにヒータ２７９をＯＮとする制御を行い、加温する必要がないと判断したときには熱交換器２７８で冷却された水がそのままの温度でヒータ２７９内を通過して給水部２７６ａに送水される。したがって、ロータリージョイント２７６、温度センサ２７７、熱交換器２７８、ヒータ２７９、制御装置３５０が、コレクト胴６の内部に通水する第２の胴用通水装置９０を構成している。
【００４１】
次に、図１３を用いて凹版胴５の通水装置について説明する。凹版胴５の周部には、図１３に示すように、のこぎり歯状の配管４００が配置されており、この配管４００の一端は、凹版胴５の操作側フレーム２０Ｂ側の端部において半径方向に延在する配管４０１を介して配管４０２と連通されている。また配管４００の他端は、コレクト胴６の原動側フレーム２０Ａ側の端部において半径方向に延在する配管４０３を介して配管４０４と連通されている。
【００４２】
２７６は凹版胴５の操作側フレーム２０Ｂの端軸に設けられたロータリージョイントであって、配管４０４に給水する給水部２７６ａと配管４０２から排水される排水部２７６ｂとを備えている。排水部２７６ｂから排水された水は温度センサ２７７によって温度が検出され、熱交換器２７８に送水され、熱交換器２７８により冷却される。冷却された水はヒータ２７９を介して、ロータリジョイント２７６の給水部２７６ａに送水され、配管２７０の中心水路２７０ａに給水される。
【００４３】
制御装置３５０は、熱交換器２７８によって冷却された水を加温する必要があると判断したときにヒータ２７９をＯＮとする制御を行い、加温する必要がないと判断したときには熱交換器２７８で冷却された水がそのままの温度でヒータ２７９内を通過して給水部２７６ａに送水される。したがって、ロータリージョイント２７６、温度センサ２７７、熱交換器２７８、ヒータ２７９、制御装置３５０が、コレクト胴６の内部に通水する第１の胴用通水装置４１０を構成している。
【００４４】
次に、図３および図８、図９を用いて、シャブロン胴のコレクト胴に対するシャブロン胴用胴着脱装置およびシャブロン胴用印圧調整装置について説明する。これらシャブロン胴用胴着脱装置およびシャブロン胴用印圧調整装置は、各シャブロン胴７１ないし７５に備えられているが、いずれも同じ構造を有しているので、ここではシャブロン胴７１に備えられたシャブロン胴用胴着脱装置およびシャブロン胴用印圧調整装置についてのみ説明し、必要に応じて、他のシャブロン胴７２ないし７５に備えられたシャブロン胴用胴着脱装置およびシャブロン胴用印圧調整装置についても説明する。
【００４５】
先ず、第１シャブロン胴７１に備えられた第１のシャブロン胴用胴着脱装置について説明する。シャブロン胴７１には、図８および図９に示すように、原動側フレーム２０Ａと操作側フレーム２０Ｂとのそれぞれにシャブロン胴用着脱装置が備えられており、いずれも同じ構造を有しているので、ここでは第１のシャブロン胴用原動側着脱装置１０１Ａについてのみ説明し、第１のシャブロン胴用操作側着脱装置１０１Ｂについては必要に応じて説明する。
【００４６】
シャブロン胴７１は、図８および図９に示すように、左右の端軸１１１Ａ，１１１Ｂが原動側フレーム２０Ａおよび操作側フレーム２０Ｂのそれぞれに固定された軸受ハウジング１１２Ａ，１１２Ｂに嵌合され、これら軸受ハウジング１１２Ａ，１１２Ｂに回転自在に支持された偏心軸受１１３Ａ，１１３Ｂを介して、原動側フレーム２０Ａおよび操作側フレーム２０Ｂ間に回転自在に支持されている。
【００４７】
図８において、９１Ａはシリンダエンドがピン１１６Ａを介して原動側フレーム２０Ａに枢支された第１のシャブロン胴用原動側流体圧シリンダであって、第１シャブロン胴着脱用原動側電磁弁１３１Ａ（図１６参照）を駆動することにより、進退するロッド１１７Ａを備えている。
【００４８】
１１８Ａはシール部材１１９Ａを介してボルト１２０によって偏心軸受１１３Ａに固定されたレバーであって、偏心軸受１１３と一体的に回動する。このレバー１１８Ａの周縁の一部には鍔１２１Ａが設けられ、図３に示すように、この鍔１２１Ａと円周方向における反対側の部位に、ピン１２２Ａを介して第１のシャブロン胴用原動側流体圧シリンダ９１Ａのロッド１１７Ａの先端部が枢着されている。
【００４９】
このように構成されていることにより、第１シャブロン胴着脱用原動側電磁弁１３１Ａが駆動され、第１のシャブロン胴用原動側流体圧シリンダ９１Ａのロッド１１７Ａが前進すると、図３において、レバー１１８Ａが反時計方向に回動する。この回動によって、偏心軸受１１３Ａも反時計方向に回動し、偏心軸受１１３Ａの偏心作用によって、第１シャブロン胴７１がコレクト胴６から脱する。
【００５０】
一方、第１シャブロン胴着脱用原動側電磁弁１３１Ａが駆動され、第１のシャブロン胴用原動側流体圧シリンダ９１Ａのロッド１１７Ａが後退すると、図３において、レバー１１８Ａが時計方向に回動する。この回動によって、偏心軸受１１３Ａも時計方向に回動し、偏心軸受１１３Ａの偏心作用によって、第１シャブロン胴７１がコレクト胴６に着する。
【００５１】
したがって、これら第１のシャブロン胴用原動側流体圧シリンダ９１Ａ、レバー１１８Ａ、偏心軸受１１３Ａ、第１シャブロン胴着脱用原動側電磁弁１３１Ａが、コレクト胴６に対して第１シャブロン胴７１を着脱させる第１のシャブロン胴用原動側着脱装置１０１Ａを構成している。
【００５２】
同様に、操作側フレーム２０Ｂには、第１のシャブロン胴用操作側流体圧シリンダ９１Ｂ、レバー１１８Ｂ、偏心軸受１１３、第１シャブロン胴着脱用原動側電磁弁１３１Ｂが、コレクト胴６に対して第１シャブロン胴７１を着脱させる第１のシャブロン胴用操作側着脱装置１０１Ｂが備えられている。
【００５３】
また、第２ないし第５シャブロン胴７２ないし７５の原動側フレーム２０Ａには、第２ないし第５のシャブロン胴用原動側着脱装置１０２Ａないし１０５Ａが備えられており、これら第２ないし第５のシャブロン胴用原動側着脱装置１０２Ａないし１０５Ａには、第２シャブロン胴着脱用原動側電磁弁１３２Ａないし１３５Ａの駆動により動作する第２のシャブロン胴用原動側流体圧シリンダ９２Ａないし９５Ａが設けられている。
【００５４】
また、第２ないし第５シャブロン胴７２ないし７５の操作側フレーム２０Ｂには、第２ないし第５のシャブロン胴用操作側着脱装置１０２Ｂないし１０５Ｂ（いずれも図示せず）が備えられており、これら第２ないし第５のシャブロン胴用操作側着脱装置１０２Ｂないし１０５Ｂには、第２シャブロン胴着脱用操作側電磁弁１３２Ｂないし１３５Ｂの駆動により動作する第２のシャブロン胴用操作側流体圧シリンダ９２Ｂないし９５Ｂが設けられている。
【００５５】
次に、第１シャブロン胴７１に備えられた第３の胴用印圧調整装置としてのシャブロン胴用印圧調整装置について説明する。シャブロン胴７１には、図８および図９に示すように、原動側フレーム２０Ａと操作側フレーム２０Ｂとのそれぞれにシャブロン胴用印圧調整装置が備えられているが、いずれも同じ構造を有しているので、ここではシャブロン胴用原動側印圧調整装置１４１Ａについてのみ説明し、シャブロン胴用操作側印圧調整装置１４１Ｂについては必要に応じて説明する。
【００５６】
シャブロン胴用原動側印圧調整装置（第３の胴用印圧調整装置）１４１Ａは、図８に示すように、第１シャブロン胴用原動側印圧調整モータ１６１Ａと、この第１シャブロン胴用原動側印圧調整モータ１６１Ａの駆動により回動するエキセンピン１４３Ａと、第１シャブロン胴用原動側印圧調整モータ１６１Ａの駆動量を検出する第１シャブロン胴用原動側ポテンショメータ１７１Ａとによって概ね構成されている。
【００５７】
このシャブロン胴用原動側印圧調整装置１４１Ａは、各第２ないし第５シャブロン胴７２ないし７５の原動側フレーム２０Ａ側に備えられており、これら各第２ないし第５シャブロン胴７２ないし７５には、第２ないし第５シャブロン胴用原動側印圧調整モータ１６２Ａないし１６５Ａ（図１６参照）が設けられている。
【００５８】
エキセンピン１４３Ａは、図８に示すように、原動側フレーム２０Ａとこの原動側フレーム２０Ａの外側において当該原動側フレーム２０Ａにスタッド（図示せず）を介して固定されたサブフレーム１４５Ａとの間に軸線方向の移動を規制された状態で回転自在に支持されている。このエキセンピン１４３Ａの一端部には偏心カム部１４４Ａが設けられており、この偏心カム部１４４Ａは、原動側フレーム２０Ａの貫通孔２０ａを貫通して原動側フレーム２０Ａの内側に臨んでいる。
【００５９】
この偏心カム部１４４Ａには、シャブロン胴用原動側流体圧シリンダ１１５Ａのロッド１１７Ａが前進することにより、上記したレバー１１８Ａの鍔１２１Ａが当接し、図３に示すように反時計方向に回動するレバー１１８Ａの回動を規制するストッパとして機能する。そして、後述するようにエキセンピン１４３Ａを回動させると、鍔１２１Ａに対する偏心カム部１４４Ａの外周面の位置が変化することにより、レバー１１８Ａの回動量が調整され、その結果、シャブロン胴７１のコレクト胴６に対する印圧が調整されるように構成されている。
【００６０】
第１シャブロン胴用原動側印圧調整モータ１６１Ａはサブフレーム１４５Ａに取り付けられており、出力軸に軸着されたモータギア１４６Ａがエキセンピン１４３Ａに軸着されたギア１４７Ａに噛合している。モータギア１４６Ａの回転は、ギア１４８Ａ、軸１４９Ａ、ギア１５０Ａ、ギア１５１Ａ、軸１５２Ａ、ギア１５Ａを経て、サブフレーム１４５Ａに固定された第１シャブロン胴用原動側ポテンショメータ１７１Ａの被駆動軸に軸着されたギア１５４Ａに伝達される。
【００６１】
このように構成されていることにより、第１シャブロン胴用操作側印圧調整モータ１６１Ｂを一方向に駆動すると、エキセンピン１４３Ａの係合部１４４Ａは、図３中反時計方向に回動する。この回動によって、係合部１４４Ａが係合している被係合突起１２１Ａを介してレバー１１８Ａが図中時計方向に回動するため、偏心軸受１１３Ａも一体的に時計方向に回動することにより、第１シャブロン胴７１のコレクト胴６に対する印圧が高くなる調整が行われる。
【００６２】
一方、第１シャブロン胴用操作側印圧調整モータ１６１Ｂを前記一方向と反対方向の他方向に駆動すると、エキセンピン１４３Ａの係合部１４４Ａは、図３中時計方向に回動する。この回動によって、係合部１４４Ａが係合している被係合突起１２１Ａを介してレバー１１８Ａが図中反時計方向に回動するため、偏心軸受１１３Ａも一体的に反時計方向に回動することにより、第１シャブロン胴７１のコレクト胴６に対する印圧が低くなる調整が行われる。
【００６３】
シャブロン胴用操作側印圧調整装置（第３の胴用印圧調整装置）１４１Ｂは、図９に示すように、第１シャブロン胴用操作側印圧調整モータ１６１Ｂと、この第１シャブロン胴用操作側印圧調整モータ１６１Ｂの駆動により回動するエキセンピン１４３Ｂと、第１シャブロン胴用操作側印圧調整モータ１６１Ｂの駆動量を検出する第１シャブロン胴用操作側ポテンショメータ１７１Ｂとによって概ね構成されている。
【００６４】
このシャブロン胴用操作側印圧調整装置１４１Ｂは、各第２ないし第５シャブロン胴７２ないし７５の操作側フレーム２０Ｂ側に備えられており、各第２ないし第５シャブロン胴７２ないし７５には、第２ないし第５シャブロン胴用操作側印圧調整モータ１６２Ｂないし１６５Ｂ（図１６参照）が設けられている。このように、シャブロン胴用原動側印圧調整装置１４１Ａおよびシャブロン胴用操作側印圧調整装置１４１Ｂを備えていることにより、シャブロン胴７１ないし７５のコレクト胴６に対する印圧調整を左右個別に行うことができるため、より一層高品質な印刷を行うための調整ができる。
【００６５】
次に、図２、図７、図１０、図１６を用いて、シャブロン胴の左右方向見当調整装置および天地方向見当調整装置について説明する。図７において、２００はサブフレーム１４５Ａに固定され、シャブロン胴７１の軸線方向（矢印Ｘ−Ｙ方向）の移動および軸線周りの回転が共に規制された固定スリーブであって、略円筒状に形成され、内周部と外周部とにねじ部２００ａ，２００ｂが形成されている。
【００６６】
２０１は円筒状に形成された第１の移動筒体であって、外周部に形成されたねじ部が固定スリーブ２００のねじ部２００ａに螺合され、矢印Ｘ方向の端部に断面が多角形の嵌合凸部２０１ａが設けられている。２０２は第１の移動筒体２０１の中空部に挿通された軸部材であって、中央部に鍔２０２ａが設けられており、この鍔２０２ａの矢印Ｙ方向側には大径部２０２ｂが一体に形成されている。
【００６７】
２０３は左右方向見当用ギアであって、矢印Ｂ方向の端部には、第１の移動筒体２０１の嵌合凸部２０１ａが嵌合する嵌合凹部２０３ａが設けられている。このような構成において、ギア２０３の嵌合凹部２０３ａと第１の移動筒体２０１の嵌合突部２０１ａとを嵌合させた状態で、ナット２０４を軸部材２０２の矢印Ｘ方向の端部に螺合させ、左右方向見当用ギア２０３を介して第１の移動筒体２０１を軸部材２０２の鍔２０２ａに押し付けることにより、ギア２０３および第１の移動筒体２０１は軸部材２０２に回転自在に支持され、かつ軸部材２０２は左右方向見当用ギア２０３および第１の移動筒体２０１を介して固定スリーブ２００に矢印Ｘ−Ｙ方向に移動自在に支持される。
【００６８】
２０５は略円筒状に形成された第２の移動筒体であって、内周部に形成されたねじ部が固定スリーブ２００のねじ部２００ｂに螺合され、外周部の一部にギア部２０５ａが形成されているとともに段部２０５ｂが形成されている。この第２の移動筒体２０５は、後述する天地方向調整用モータの駆動により、固定スリーブ２００のねじ部２００ｂとのねじ作用によって、矢印Ｘ−Ｙ方向に移動する。
【００６９】
２０６は略円筒状に形成された歯車保持体であって、リング部材２１０を介して、第２の移動筒体２０５の段部２０５ｂと第２の移動筒体２０５の矢印Ｙ方向の端部に螺合させたナット部材２０７との間に、一対のスラストベアリング２０８，２０８によって、シャブロン胴７１の端軸７１ａの軸線周りに回転自在かつ半径方向に移動自在に支持されている。
【００７０】
リング部材２１０の内周面と第２の移動筒体２０５の外周面との間には、上述した印圧調整等によって移動するシャブロン胴７１の移動可能な隙間δ１が設けられている。また、スラストベアリング２０８を構成する一対の軌道板２０８ａ，２０８ｂのうち、リング部材２１０に固定された軌道板２０８ａに転動体２０８ｃが固定されている。
【００７１】
こうすることにより、シャブロン胴７１が印圧調整等により移動した場合にも、後述するようにシャブロン胴７１と一体に回転するリング部材２１０の回転中心と転動体２０８ｃの回転中心がずれるようなことがなく一致した状態が保たれる。このため、転動体２０８ｃを構成している多数のコロ間において摩耗が偏ることなく均一に摩耗するようになり、この結果、スラストベアリング２０８の耐久性が向上する。
【００７２】
２１１はシャブロン胴７１が対接するコレクト胴６のコレクトギア３０ａが噛合する、はすばギアであるシャブロンギアであって、歯車保持体２０６に固定されている。２１２はシャブロン胴７１の端軸７１ａが固定された端軸保持体であって、歯車保持体２０６とスプライン２１３を介して連結されており、歯車保持体２０６と矢印Ｘ−Ｙ方向の移動が許容され、かつ歯車保持体２０６と一体的に回転する。
【００７３】
この端軸保持体２１２は、リング部材２１４を介して、上記した軸部材２０２の鍔２０２ａと大径部２０２ｂに螺合したナット部材２１５との間に、一対のスラストベアリング２１６，２１６によって、シャブロン胴７１の端軸７１ａの軸線周りに回転自在かつ半径方向に移動自在に支持されている。リング部材２１４の内周面と大径部２０２ｂの外周面との間には、上述した印圧調整等によって移動するシャブロン胴７１の移動可能な隙間δ１が設けられている。
【００７４】
また、スラストベアリング２１６を構成する一対の軌道板２１６ａ，２１６ｂのうち、リング部材２１４に固定された軌道板２１６ａに転動体２１６ｃが固定されている。こうすることにより、シャブロン胴７１が印圧調整等により移動した場合にも、後述するようにシャブロン胴７１と一体に回転するリング部材２１４の回転中心と転動体２１６ｃの回転中心がずれるようなことがなく一致した状態が保たれる。このため、転動体２１６ｃを構成している多数のコロ間において摩耗が偏ることなく均一に摩耗するようになり、この結果、スラストベアリング２１６の耐久性が向上する。
【００７５】
図２において、２２０はサブフレーム１４５Ａに固定されたシャブロン胴用左右方向見当調整用モータであって、出力軸にウォーム２２１が軸着されている。このウォーム２２１と噛合するウォームホィール２２２はサブフレーム１４５Ａに回転自在に支持された軸２２３に軸着されており、この軸２２３には、上述した左右方向見当用ギア２０３に噛合するギア２２４が軸着されている。
【００７６】
このような構成において、シャブロン胴用左右方向見当調整用モータ２２０を一方向に駆動すると、ウォーム２２１、ウォームホィール２２２、軸２２３、ギア２２４、左右方向見当用ギア２０３を介して、移動筒体２０１が回転する。したがって、固定スリーブ２００のねじ部２００ａのねじ作用により、移動筒体２０１は矢印Ｙ方向に移動し、軸部材２０２の鍔２０２ａ、スラストベアリング２１６、リング部材２１４、端軸保持体２１２を介して端軸７１ａ（シャブロン胴７１）が矢印Ｙ方向に移動する。
【００７７】
一方、シャブロン胴用左右方向見当調整用モータ２２０を前記一方向と反対方向の他方向に駆動すると、ウォーム２２１、ウォームホィール２２２、軸２２３、ギア２２４、左右方向見当用ギア２０３を介して、移動筒体２０１が回転する。したがって、固定スリーブ２００のねじ部２００ａのねじ作用により、移動筒体２０１は矢印Ｘ方向に移動し、軸部材２０２の鍔２０２ａ、スラストベアリング２１６、リング部材２１４、端軸保持体２１２を介して端軸７１ａ（シャブロン胴７１）が矢印Ｘ方向に移動する。
【００７８】
図１０において、２２６はシャブロン胴用左右方向見当調整用モータ２２０の駆動量を検出するためにサブフレーム１４５Ａに固定されたシャブロン胴用左右方向見当調整用ポテンショメータであって、被駆動軸に軸着されたギア２２７はギア２０３と噛合している。
【００７９】
このように、シャブロン胴用左右方向見当調整用モータ２２０、ウォーム２２１、ウォームホィール２２３、左右方向見当用ギア２０３、第１の移動筒体２０１、固定スリーブ２００、軸部材２０２、シャブロン胴用左右方向見当調整用ポテンショメータ２２６が、シャブロン胴７１を軸線方向の左右に移動させるシャブロン胴左右方向見当調整装置２３０を構成している。
【００８０】
図２において、２４０はサブフレーム１４５Ａに固定されたシャブロン胴用天地方向見当調整用モータであって、出力軸にウォーム２４１が軸着されている。このウォーム２４１と噛合するウォームホィール２４２はサブフレーム１４５Ａに回転自在に支持された軸２４３に軸着されており、この軸２４３には、上述した第２の移動筒体２０５のギア２０５ａに噛合するギア２４４が軸着されている。
【００８１】
このようの構成において、シャブロン胴用天地方向見当調整用モータ２４０を一方向に駆動すると、ウォーム２４１、ウォームホィール２４２、軸２４３、ギア２４４を介して、第２の移動筒体２０５が回転する。したがって、固定スリーブ２００のねじ部２０２ｂのねじ作用により、第２の移動筒体２０５が矢印Ｙ方向に移動し、一体的にシャブロンギア２１１も矢印Ｙ方向に移動する。
【００８２】
シャブロンギア２１１と噛合しているコレクトギア３０は回転が規制されているため、シャブロンギア２１１のはすば作用により、シャブロンギア２１１がわずかに一方向に回転する。このシャブロンギア２１１が回転することにより、スプライン２１３によって連結されている軸端保持体２１２を介して、端軸７１ａも回転するので、シャブロン胴７１が一方向に回転する。
【００８３】
一方、シャブロン胴用天地方向見当調整用モータ２４０を一方向と反対方向の他方向に駆動すると、ウォーム２４１、ウォームホィール２４２、軸２４３、ギア２４４を介して、第２の移動筒体２０５が回転する。したがって、固定スリーブ２００のねじ部２０２ｂのねじ作用により、第２の移動筒体２０５が矢印Ｘ方向に移動し、一体的にシャブロンギア２１１も矢印Ｘ方向に移動する。
【００８４】
シャブロンギア２１１と噛合しているコレクトギア３０は回転が規制されているため、シャブロンギア２１１のはすば作用により、シャブロンギア２１１がわずかに一方向と反対方向の他方向に回転する。このシャブロンギア２１１が回転することにより、スプライン２１３によって連結されている軸端保持体２１２を介して、端軸７１ａも回転するので、シャブロン胴７１が一方向と反対方向の他方向に回転する。
【００８５】
図１０において、２４６はシャブロン胴用天地方向見当調整用モータ２４０の駆動量を検出するためにサブフレーム１４５Ａに固定されたシャブロン胴用天地方向見当調整用ポテンショメータであって、被駆動軸に軸着されたギア２４７は軸２４３に軸着されたギア２４８と噛合している。
【００８６】
したがって、シャブロン胴用天地方向見当調整用モータ２４０、ウォーム２４１、ウォームホィール２４２、第２の移動筒体２０５、固定スリーブ２００、シャブロンギア２１１、シャブロン胴用天地方向見当調整用ポテンショメータ２４６が、シャブロン胴７１の天地方向を調整するシャブロン胴用天地方向見当調整装置２５０を構成している。
【００８７】
このように、シャブロン胴用左右方向見当調整装置２３０およびシャブロン胴用天地方向見当調整装置２５０を、共にシャブロン胴７１の原動側フレーム２０Ａ側に配置したことにより、操作側フレーム２０Ｂ側に第１ないし第５シャブロン胴７１ないし７５の内部に通水する後述する通水装置２８０を配置することが可能になる。
【００８８】
以下、図１１および図１２を用いて、シャブロン胴用通水装置について説明する。図１２に示すように、シャブロン胴７１の操作側フレーム２０Ｂ側の端軸７１ａには、同心円上に配置された中心水路２７０ａおよび外周水路２７０ｂからなる配管２７０が配置されている。シャブロン胴７１の中心部には、図１１に示すように、配管２７０の中心水路２７０ａに連通された一本の配管２７１が原動側フレーム２０Ａ側の端軸７１ａまで延設されている。
【００８９】
シャブロン胴７１の周部には、軸線方向に沿って複数本の配管２７２が配置され、この配管２７２と配管２７１とは原動側フレーム２０Ａ側において、シャブロン胴７の中心から放射状に延びる配管２７３を介して連通されている。配管２７２と配管２７０の外周水路２７０ｂとは操作側フレーム２０Ｂ側において、シャブロン胴７の中心から放射状に延びる配管２７４を介して連通されている。
【００９０】
図１２において、２７６は操作側フレーム２０Ｂの端軸７１ａに設けられたロータリージョイントであって、配管２７０の中心水路２７０ａに給水する給水部２７６ａと外周水路２７０ｂから排水される排水部２７６ｂとを備えている。排水部２７６ｂから排水された水は温度センサ２７７によって温度が検出され、熱交換器２７８に送水され、熱交換器２７８により冷却される。冷却された水はヒータ２７９を介して、ロータリジョイント２７６の給水部２７６ａに送水され、配管２７０の中心水路２７０ａに給水される。
【００９１】
制御装置３５０は、熱交換器２７８によって冷却された水を加温する必要があると判断したときにヒータ２７９をＯＮとする制御を行い、加温する必要がないと判断したときには熱交換器２７８で冷却された水がそのままの温度でヒータ２７９内を通過して給水部２７６ａに送水される。したがって、ロータリージョイント２７６、温度センサ２７７、熱交換器２７８、ヒータ２７９、制御装置３５０が、第１ないし第５シャブロン胴７１ないし７５の内部に通水する通水装置２８０を構成している。
【００９２】
次に、図１４を用いて、シャブロン胴７１に設けられた版万力装置について説明する。シャブロン胴７１の外周部には、同図に示すように、胴軸方向に延在する切欠き２９０が設けられており、この切欠き２９０には、くわえ側版万力装置２９１および尻側版万力装置２９２が備えられている。くわえ側版万力装置２９１は、切欠き２９０の底部に固定されシャブロン胴７２の軸線方向に延在する万力台２９４と、この万力台２９４のくわえ面２９４ａに対接するくわえ面２９５ａが形成され支持ピン２９６によって万力台２９４に揺動自在に支持された複数個のくわえ板２９５とによって構成されている。
【００９３】
くわえ板２９５は図示を省略した付勢手段によって常時くわえ面２９５ａがくわえ面２９４ａから離間する方向に付勢されており、くわえ板２９５と万力台２９４との間に設けられた版くわえカム軸２９７を回動操作することにより、くわえ面２９５ａがくわえ面２９４ａに圧接されるように構成されている。
【００９４】
尻側版万力装置２９２は、切欠き２９０の底部に図中左右方向に移動自在に支持されシャブロン胴７２の軸線方向に延在する万力台３０１と、この万力台３０１のくわえ面３０１ａに対接するくわえ面３０２ａが形成され支持ピン３０３によって万力台３０１に揺動自在に支持された複数個のくわえ板３０２とによって構成されている。
【００９５】
くわえ板３０２は図示を省略した付勢手段によって常時くわえ面３０２ａがくわえ面３０１ａから離間する方向に付勢されており、くわえ板３０２と万力台３０１との間に設けられた版くわえカム軸３０４を回動操作することにより、くわえ面３０２ａがくわえ面３０１ａに圧接されるように構成されている。万力台３０１は図示を省略した付勢手段によって図中右方に付勢されており、万力台３０１と切欠き２９０の側壁との間に介装された版張りカム軸３０５を回動操作することにより左方に移動する。
【００９６】
版３０８はＰＳ版に樹脂３０９が貼り付けられており、くわえ側端部３０８ａがくわえ側版万力装置２９１の万力台２９４のくわえ面２９４ａとくわえ板２９５のくわえ面２９５ａとの間にくわえ、シャブロン胴７１を略一回転させる。この状態で、尻側端部３０８ｂを、尻側版万力装置２９２の万力台３０１のくわえ面３０１ａとくわえ板３０２のくわえ面３０２ａとの間にくわえ、版張りカム軸３０５を回動操作し、万力台３０１を左方に移動させることにより版３０８をシャブロン胴７１の外周面に密着させる。
【００９７】
なお、このシャブロン胴７１に設けられた版万力装置は、図示を省略しているが、コレクト胴６および凹版胴５にも備えられており、コレクト胴６には、くわえ側版万力装置２９１および尻側版万力装置２９２が四対設けられ、凹版胴５には、くわえ側版万力装置２９１および尻側版万力装置２９２が三対設けられている。
【００９８】
次に、図１５を用いて、コレクト胴６の凹版胴５に対する印圧調整を行った後に、各シャブロン胴７１ないし７５のコレクト胴６に対する印圧調整の方法について説明する。同図（Ａ）は、コレクト胴６の凹版胴５に対する印圧調整、すなわち、コレクト胴６と凹版胴５との互いの芯間調整量に対応した各シャブロン胴７１ないし７５の移動量を示したテーブルである。
【００９９】
ここに示されたテーブルは、コレクト胴と凹版胴との間の芯間調整量に対する各シャブロン胴の移動量が、コレクト胴６の凹版胴５に対する印圧調整後におけるシャブロン胴のコレクト胴に対する印圧と、コレクト胴６の凹版胴５に対する印圧調整前におけるシャブロン胴のコレクト胴に対する印圧とが同じとなるように、設定されている。
【０１００】
このように、コレクト胴６の凹版胴５に対する印圧調整の前と後とでシャブロン胴７１ないし７５の胴のコレクト胴６に対する印圧を変えずに、シャブロン胴７１ないし７５の胴のコレクト胴６に対する印圧調整を自動的に行えるため、面倒な調整作業が不要になるとともに、正確な調整を短時間で行うことができる。
【０１０１】
同図（Ａ）において、横軸の「０」は、コレクト胴６の凹版胴５に対する印圧調整を行っていない状態のコレクト胴と凹版胴との間の芯間調整量を便宜上「０」で表記しており、コレクト胴と凹版胴との間の芯間調整を行ったとき、芯間調整量が多い場合は、この「０」を基準として（＋）側で表し、コレクト胴と凹版胴との間の芯間調整量が少ない場合は、この「０」を基準として（−）側で表している。
【０１０２】
縦軸の「０」は、横軸の「０」に対応したシャブロン胴の移動量を、便宜上「０」と表記し、この移動量「０」に対するシャブロン胴のコレクト胴に対する印圧を、以下便宜上、基準印圧という。シャブロン胴の移動量を多くする場合は、この「０」を基準として（＋）側で表し、シャブロン胴の移動量を小さくする場合は「０」を基準として（−）側で表している。
【０１０３】
コレクト胴の凹版胴に対する印圧を低くする場合は、コレクト胴と凹版胴との間の芯間を大きくする調整を行う。この場合、シャブロン胴の移動量を基準印圧に対して大きくする調整を行う。これに対し、コレクト胴の凹版胴に対する印圧を高くする場合は、コレクト胴と凹版胴との間の芯間を小さくする調整をする。この場合、シャブロン胴の移動量を基準印圧に対して小さくする調整を行う。
【０１０４】
このテーブルは、上述したように、コレクト胴の凹版胴に対する印圧調整を行う前におけるシャブロン胴のコレクト胴に対する印圧と、コレクト胴の凹版胴に対する印圧調整を行った後におけるシャブロン胴のコレクト胴に対する印圧とが同じになるように、または同じに保たれるように、あるいは反映されるようになっている。
【０１０５】
例えば、コレクト胴と凹版胴との芯間調整値を「Ｇ」とした場合、各シャブロン胴７１ないし７５の移動量は「ＡないしＥ」となる調整が行われる。この「ＡないしＥ」の移動調整が行われた各第１ないし第５シャブロン胴のコレクト胴に対する印圧は、コレクト胴と凹版胴との芯間を調整する前の値「０」に対応した各シャブロン胴７１ないし７５のコレクト胴に対する印圧と同じになる。
【０１０６】
同図（Ｂ）は、予め、シャブロン胴の移動量「０」におけるシャブロン胴のコレクト胴に対する基準印圧に±ΔＩなる許容範囲を設けた場合である。この場合は、コレクト胴の凹版胴に対する印圧調整後に対応して、調整されたシャブロン胴のコレクト胴に対する印圧に、この許容範囲と同じΔＩを加算および減算する補正を行う。例えば、コレクト胴と凹版胴との芯間調整値を「Ｇ」とした場合、この「Ｇ」に対応した第２シャブロン胴のコレクト胴に対する印圧「Ｂ」に、±ΔＩの補正値が加味される。
【０１０７】
すなわち、シャブロン胴のコレクト胴に対する調整印圧「Ｂ」よりも低くする場合、シャブロン胴の移動量を加算する補正を行い、調整印圧「Ｂ」よりも「ΔＩ」だけ低い印圧とする。一方、シャブロン胴のコレクト胴に対する調整印圧「Ｂ」よりも高くする場合、シャブロン胴の移動量を減算する補正を行い、調整印圧「Ｂ」よりも「ΔＩ」だけ高い印圧とする。
【０１０８】
次に、図１６を用いて、本発明に係る印刷機の制御方法について説明する。同図において、３２１Ａはコレクト胴用原動側印圧調整モータ５６Ａを駆動するためのコレクト胴用原動側印圧調整ボタンである。３２１Ｂはコレクト胴用操作側印圧調整モータ５６Ｂを駆動するためのコレクト胴用操作側印圧調整ボタンである。
【０１０９】
３３１Ａないし３３５Ａは第１ないし第５シャブロン胴用原動側印圧調整モータ１６１Ａないし１６５Ａのそれぞれを駆動する第１ないし第５シャブロン胴用原動側印圧調整ボタンである。３４１は本機の位相を検出するロータリーエンコーダである。
【０１１０】
符号３５０で示す制御装置は、ロータリーエンコーダ３４１によって検出した所定のタイミングで、コレクト胴着脱用原動側電磁弁３４Ａおよびコレクト胴着脱用操作側電磁弁３４Ｂを同時に駆動させ、コレクト胴着脱用原動側流体圧シリンダ３６Ａおよびコレクト胴着脱用操作側流体圧シリンダ３６Ｂの各ロッド３８Ａ，３８Ｂを前進または後退させる制御を行う。この制御によって、コレクト胴６が凹版胴５に着または脱する
【０１１１】
また、制御装置３５０は、ロータリーエンコーダ３４１によって検出した所定のタイミングで、第１シャブロン胴着脱用原動側電磁弁１３１Ａおよび第１シャブロン胴着脱用操作側電磁弁１３１Ｂを同時に駆動させ、第１のシャブロン胴用原動側流体圧シリンダ９１Ａおよび第１のシャブロン胴用操作側流体圧シリンダ９１Ｂの各ロッド１１７Ａ，１１７Ｂを前進または後退させる制御を行う。この制御によって、第１シャブロン胴７１がコレクト胴６に対して着または脱する。
【０１１２】
また、制御装置３５０は、ロータリーエンコーダ３４１によって検出した所定のタイミングで、第２シャブロン胴着脱用原動側電磁弁１３２Ａおよび第２シャブロン胴着脱用操作側電磁弁１３２Ｂを同時に駆動させ、第２のシャブロン胴用原動側流体圧シリンダ９２Ａおよび第１のシャブロン胴用操作側流体圧シリンダ９２Ｂの各ロッド１１７Ａ，１１７Ｂを前進または後退させる制御を行う。この制御によって、第２シャブロン胴７２がコレクト胴６に対して着または脱する。
【０１１３】
また、制御装置３５０は、ロータリーエンコーダ３４１によって検出した所定のタイミングで、第３シャブロン胴着脱用原動側電磁弁１３３Ａおよび第２シャブロン胴着脱用操作側電磁弁１３３Ｂを同時に駆動させ、第３のシャブロン胴用原動側流体圧シリンダ９３Ａおよび第１のシャブロン胴用操作側流体圧シリンダ９３Ｂの各ロッド１１７Ａ，１１７Ｂを前進または後退させる制御を行う。この制御によって、第３シャブロン胴７３がコレクト胴６に対して着または脱する。
【０１１４】
また、制御装置３５０は、ロータリーエンコーダ３４１によって検出した所定のタイミングで、第４シャブロン胴着脱用原動側電磁弁１３４Ａおよび第２シャブロン胴着脱用操作側電磁弁１３４Ｂを同時に駆動させ、第４のシャブロン胴用原動側流体圧シリンダ９４Ａおよび第１のシャブロン胴用操作側流体圧シリンダ９４Ｂの各ロッド１１７Ａ，１１７Ｂを前進または後退させる制御を行う。この制御によって、第４シャブロン胴７４がコレクト胴６に対して着または脱する。
【０１１５】
また、制御装置３５０は、ロータリーエンコーダ３４１によって検出した所定のタイミングで、第５シャブロン胴着脱用原動側電磁弁１３５Ａおよび第２シャブロン胴着脱用操作側電磁弁１３５Ｂを同時に駆動させ、第５のシャブロン胴用原動側流体圧シリンダ９５Ａおよび第１のシャブロン胴用操作側流体圧シリンダ９５Ｂの各ロッド１１７Ａ，１１７Ｂを前進または後退させる制御を行う。この制御によって、第５シャブロン胴７５がコレクト胴６に対して着または脱する。
【０１１６】
また、制御装置３５０は、コレクト胴用原動側印圧調整ボタン３２１ＡがＯＮされると、コレクト胴用原動側印圧調整モータ５６Ａを駆動させ、コレクト胴６の凹版胴５に対する原動側の印圧を調整する制御を行う。
【０１１７】
また、制御装置３５０は、コレクト胴用操作側印圧調整ボタン３２１ＢがＯＮされると、コレクト胴用操作側印圧調整モータ５６Ｂを駆動させ、コレクト胴６の凹版胴５に対する操作側の印圧を調整する制御を行う。
【０１１８】
また、制御装置３５０は、第１シャブロン胴用原動側印圧調整ボタン３３１ＡがＯＮされると、第１シャブロン胴用原動側印圧調整モータ１６１Ａを駆動させ、第１シャブロン胴７１のコレクト胴６に対する原動側の印圧を調整する制御を行う。
【０１１９】
また、制御装置３５０は、第１シャブロン胴用操作側印圧調整ボタン３３１ＢがＯＮされると、第１シャブロン胴用操作側印圧調整モータ１６１Ｂを駆動させ、第１シャブロン胴７１のコレクト胴６に対する操作側の印圧を調整する制御を行う。
【０１２０】
また、制御装置３５０は、第２シャブロン胴用原動側印圧調整ボタン３３２ＡがＯＮされると、第２シャブロン胴用原動側印圧調整モータ１６２Ａを駆動させ、第２シャブロン胴７２のコレクト胴６に対する原動側の印圧を調整する制御を行う。
【０１２１】
また、制御装置３５０は、第２シャブロン胴用操作側印圧調整ボタン３３２ＢがＯＮされると、第２シャブロン胴用操作側印圧調整モータ１６２Ｂを駆動させ、第２シャブロン胴７２のコレクト胴６に対する操作側の印圧を調整する制御を行う。
【０１２２】
また、制御装置３５０は、第３シャブロン胴用原動側印圧調整ボタン３３３ＡがＯＮされると、第３シャブロン胴用原動側印圧調整モータ１６３Ａを駆動させ、第３シャブロン胴７３のコレクト胴６に対する原動側の印圧を調整する制御を行う。
【０１２３】
また、制御装置３５０は、第３シャブロン胴用操作側印圧調整ボタン３３３ＢがＯＮされると、第３シャブロン胴用操作側印圧調整モータ１６３Ｂを駆動させ、第３シャブロン胴７３のコレクト胴６に対する操作側の印圧を調整する制御を行う。
【０１２４】
また、制御装置３５０は、第４シャブロン胴用原動側印圧調整ボタン３３４ＡがＯＮされると、第４シャブロン胴用原動側印圧調整モータ１６４Ａを駆動させ、第４シャブロン胴７４のコレクト胴６に対する原動側の印圧を調整する制御を行う。
【０１２５】
また、制御装置３５０は、第４シャブロン胴用操作側印圧調整ボタン３３４ＢがＯＮされると、第４シャブロン胴用操作側印圧調整モータ１６４Ｂを駆動させ、第４シャブロン胴７４のコレクト胴６に対する操作側の印圧を調整する制御を行う。
【０１２６】
また、制御装置３５０は、第５シャブロン胴用原動側印圧調整ボタン３３５ＡがＯＮされると、第５シャブロン胴用原動側印圧調整モータ１６５Ａを駆動させ、第５シャブロン胴７５のコレクト胴６に対する原動側の印圧を調整する制御を行う。
【０１２７】
また、制御装置３５０は、第５シャブロン胴用操作側印圧調整ボタン３３５ＢがＯＮされると、第５シャブロン胴用操作側印圧調整モータ１６５Ｂを駆動させ、第５シャブロン胴７５のコレクト胴６に対する操作側の印圧を調整する制御を行う。
【０１２８】
また、制御装置３５０は、コレクト胴用原動側印圧調整ボタン３２１ＡがＯＮされるとともに、第１ないし第５シャブロン胴用原動側印圧調整ボタン３３１Ａないし３３５Ａのうちの少なくともいずれか一つがＯＮされると、コレクト胴用原動側ポテンショメータ５８Ａによって検出されたコレクト胴用原動側印圧調整用モータ５６Ａの駆動量に基づき、コレクト胴６と凹版胴５との間の芯間調整量を算出し、図１５（Ａ）のテーブルに基づき、上記した第１ないし第５シャブロン胴用原動側印圧調整ボタン３３１Ａないし３３５Ａのうちの少なくともいずれか一つに対応した第１ないし第５シャブロン胴用原動側印圧調整モータ１６１Ａないし１６５Ａの駆動量を制御する。
【０１２９】
すなわち、第１シャブロン胴用原動側印圧調整ボタン３３１ＡのみがＯＮされた場合は、算出されたコレクト胴６と凹版胴５との間の芯間調整量が、同図に示すように「Ｇ」である場合は、第１シャブロン胴７１の移動量が「Ａ」となるように、第１シャブロン胴用原動側ポテンショメータ１７１Ａの検出による第１シャブロン胴用原動側印圧調整モータ１６１Ａの駆動量に基づき、当該第１シャブロン胴用原動側印圧調整モータ１６１Ａの駆動を制御する。
【０１３０】
したがって、第１シャブロン胴７１のコレクト胴６に対する原動側の印圧は、コレクト胴６の凹版胴５に対する印圧を調整する前と後とで同じとなるように調整量（第１シャブロン胴７１の移動量）が制御される。
【０１３１】
また、制御装置３５０は、上記のように、コレクト胴用原動側印圧調整ボタン３２１ＡがＯＮされるとともに、第１シャブロン胴用原動側印圧調整ボタン３３１ＡがＯＮされ、かつ第１シャブロン胴７１のコレクト胴６に対する印圧に補正を加える必要がある場合は、第１シャブロン胴７１の調整された移動量に補正値を加算または減算する制御を行う。
【０１３２】
例えば、第２シャブロン胴７２のコレクト胴に対する基準印圧に、同図（Ｂ）に示すように、±ΔＩなる許容範囲を設ける場合は、コレクト胴６の凹版胴５に対する印圧調整後に対応して、調整された第２シャブロン胴７２のコレクト胴６に対する印圧に、この許容範囲と同じΔＩを加算および減算する補正を行う制御を行う。
【０１３３】
すなわち、コレクト胴６と凹版胴５との芯間調整値を「Ｇ」とした場合、この「Ｇ」に対応した第２シャブロン胴７２のコレクト胴６に対する印圧「Ｂ」に、±ΔＩの補正値を加味する制御を行う。この制御は、第２シャブロン胴７２のコレクト胴６に対する調整印圧「Ｂ」よりも低くする場合、第２シャブロン胴７２の移動量を加算する補正を行い、調整印圧「Ｂ」よりも「ΔＩ」だけ低い印圧とする。一方、第２シャブロン胴７２のコレクト胴６に対する調整印圧「Ｂ」よりも高くする場合、第２シャブロン胴７２の移動量を減算する補正を行い、調整印圧「Ｂ」よりも「ΔＩ」だけ高い印圧とする。
【０１３４】
次に、このように構成された印刷機における印刷動作について説明する。予め、給紙装置３には試刷り用の紙２が積載されている。この状態で、印刷動作を開始すると、ロータリーエンコーダ３４１によって検出された所定のタイミングで、コレクト胴着脱用原動側電磁弁３４Ａおよびコレクト胴着脱用操作側電磁弁３４Ｂが同時に駆動され、コレクト胴着脱用原動側流体圧シリンダ３６Ａおよびコレクト胴着脱用操作側流体圧シリンダ３６Ｂの各ロッド３８Ａ，３８Ｂが前進し、コレクト胴６が凹版胴５に着する。
【０１３５】
また、ロータリーエンコーダ３４１によって検出された所定のタイミングで、第１ないし第５シャブロン胴着脱用原動側電磁弁１３１Ａないし１３５Ａおよび第１ないし第５シャブロン胴着脱用操作側電磁弁１３１Ｂないし１３５Ｂが同時に駆動され、第１ないし第５のシャブロン胴用原動側流体圧シリンダ９１Ａないし９５Ａおよび第１ないし第５のシャブロン胴用操作側流体圧シリンダ９１Ｂないし９５Ｂの各ロッド１１７Ａ，１１７Ｂが前進し、第１ないし第５シャブロン胴７１ないし７５がコレクト胴６に対して着する。
【０１３６】
ここで、コレクト胴６の凹版胴５に対する印圧および第１ないし第５シャブロン胴７１ないし７５のコレクト胴６に対する印圧を調整する場合は、コレクト胴用原動側印圧調整ボタン３２１Ａ、コレクト胴用操作側印圧調整ボタン３２１Ｂおよび第１ないし第５シャブロン胴用原動側印圧調整ボタン３３１Ａないし３３５Ａ、第１ないし第５シャブロン胴用操作側印圧調整ボタン３３１Ｂないし３３５ＢをＯＮする。
【０１３７】
コレクト胴用原動側印圧調整ボタン３２１ＡがＯＮされると、コレクト胴用原動側印圧調整モータ５６Ａが駆動され、コレクト胴６の凹版胴５に対する原動側の印圧が調整される。コレクト胴用操作側印圧調整ボタン３２１ＢがＯＮされると、コレクト胴用操作側印圧調整モータ５６Ｂが駆動され、コレクト胴６の凹版胴５に対する操作側の印圧が調整される。
【０１３８】
また、第１ないし第５シャブロン胴用原動側印圧調整ボタン３３１Ａないし３３５ＡがＯＮされると、第１ないし第５シャブロン胴用原動側印圧調整モータ１６１Ａないし１６５Ａが駆動され、第１ないし第５シャブロン胴７１ないし７５のコレクト胴６に対する原動側の印圧が調整される。
【０１３９】
同時に、第１ないし第５シャブロン胴用操作側印圧調整ボタン３３１Ｂないし３３５ＢがＯＮされると、第１ないし第５シャブロン胴用操作側印圧調整モータ１６１Ｂないし１６５Ｂが駆動され、第１ないし第５シャブロン胴７１ないし７５のコレクト胴６に対する操作側の印圧が調整される。
【０１４０】
ここで、コレクト胴用原動側印圧調整ボタン３２１ＡがＯＮされるとともに、第１ないし第５シャブロン胴用原動側印圧調整ボタン３３１Ａないし３３５ＡがＯＮされると、コレクト胴用原動側ポテンショメータ５８Ａによって検出されたコレクト胴用原動側印圧調整用モータ５６Ａの駆動量に基づき、コレクト胴６と凹版胴５との間の芯間調整量を算出し、図１５（Ａ）のテーブルに基づき、第１ないし第５シャブロン胴用原動側印圧調整モータ１６１Ａないし１６５Ａの駆動量を制御する。
【０１４１】
すなわち、算出されたコレクト胴６と凹版胴５との間の芯間調整量が、同図に示すように「Ｇ」である場合は、第１シャブロン胴７１の移動量が「Ａ」となるように、第１シャブロン胴用原動側ポテンショメータ１７１Ａおよび第１シャブロン胴用操作側ポテンショメータ１７１Ｂの検出による第１シャブロン胴用原動側印圧調整モータ１６１Ａおよび第１シャブロン胴用操作側印圧調整モータ１６１Ｂの駆動量に基づき、当該第１シャブロン胴用原動側印圧調整モータ１６１Ａおよび第１シャブロン胴用操作側印圧調整モータ１６１Ｂの駆動が制御される。
【０１４２】
したがって、第１シャブロン胴７１のコレクト胴６に対する原動側の印圧は、コレクト胴６の凹版胴５に対する印圧を調整する前と後とで同じとなるように調整量（第１シャブロン胴７１の移動量）が制御される。
【０１４３】
同時に、第２シャブロン胴７２の移動量が「Ｂ」となるように、第２シャブロン胴用原動側ポテンショメータ１７２Ａおよび第２シャブロン胴用操作側ポテンショメータ１７２Ｂの検出による第２シャブロン胴用原動側印圧調整モータ１６２Ａおよび第２シャブロン胴用操作側印圧調整モータ１６２Ｂの駆動量に基づき、当該第２シャブロン胴用原動側印圧調整モータ１６２Ａおよび第２シャブロン胴用操作側印圧調整モータ１６２Ｂの駆動が制御される。
【０１４４】
したがって、第２シャブロン胴７２のコレクト胴６に対する原動側の印圧は、コレクト胴６の凹版胴５に対する印圧を調整する前と後とで同じとなるように調整量（第２シャブロン胴７２の移動量）が制御される。
【０１４５】
同時に、第３シャブロン胴７３の移動量が「Ｃ」となるように、第３シャブロン胴用原動側ポテンショメータ１７３Ａおよび第３シャブロン胴用操作側ポテンショメータ１７３Ｂの検出による第３シャブロン胴用原動側印圧調整モータ１６３Ａおよび第３シャブロン胴用操作側印圧調整モータ１６３Ｂの駆動量に基づき、当該第３シャブロン胴用原動側印圧調整モータ１６３Ａおよび第３シャブロン胴用操作側印圧調整モータ１６３Ｂの駆動が制御される。
【０１４６】
したがって、第３シャブロン胴７３のコレクト胴６に対する原動側の印圧は、コレクト胴６の凹版胴５に対する印圧を調整する前と後とで同じとなるように調整量（第３シャブロン胴７３の移動量）が制御される。
【０１４７】
同時に、第４シャブロン胴７４の移動量が「Ｄ」となるように、第４シャブロン胴用原動側ポテンショメータ１７４Ａおよび第４シャブロン胴用操作側ポテンショメータ１７４Ｂの検出による第４シャブロン胴用原動側印圧調整モータ１６４Ａおよび第４シャブロン胴用操作側印圧調整モータ１６４Ｂの駆動量に基づき、当該第４シャブロン胴用原動側印圧調整モータ１６４Ａおよび第４シャブロン胴用操作側印圧調整モータ１６４Ｂの駆動が制御される。
【０１４８】
したがって、第４シャブロン胴７４のコレクト胴６に対する原動側の印圧は、コレクト胴６の凹版胴５に対する印圧を調整する前と後とで同じとなるように調整量（第４シャブロン胴７４の移動量）が制御される。
【０１４９】
同時に、第５シャブロン胴７５の移動量が「Ｅ」となるように、第５シャブロン胴用原動側ポテンショメータ１７５Ａおよび第５シャブロン胴用操作側ポテンショメータ１７５Ｂの検出による第５シャブロン胴用原動側印圧調整モータ１６５Ａおよび第５シャブロン胴用操作側印圧調整モータ１６５Ｂの駆動量に基づき、当該第５シャブロン胴用原動側印圧調整モータ１６５Ａおよび第５シャブロン胴用操作側印圧調整モータ１６５Ｂの駆動が制御される。
【０１５０】
したがって、第５シャブロン胴７５のコレクト胴６に対する原動側の印圧は、コレクト胴６の凹版胴５に対する印圧を調整する前と後とで同じとなるように調整量（第５シャブロン胴７５の移動量）が制御される。
【０１５１】
このように、コレクト胴６の凹版胴５に対する印圧調整が行われると、自動的にシャブロン胴７１ないし７５のコレクト胴６に対する印圧が調整されるとともに、シャブロン胴７１ないし７５のコレクト胴６に対する調整された印圧は、コレクト胴６の凹版胴５に対する印圧を調整する前と後とで同じとなるため、面倒な印圧調整が不要になるからオペレータの負担が軽減される。
【０１５２】
ここで、第１ないし第５シャブロン胴７１ないし７５の左右方向の見当調整および天地方向の見当調整が必要な場合は、シャブロン胴用左右方向見当調整用モータ２２０およびシャブロン胴用天地方向見当調整用モータ２４０を駆動させる。すなわち、予め、制御装置３５０にシャブロン胴用左右方向見当調整用モータ２２０の駆動量を設定しておき、シャブロン胴用左右方向見当調整用モータ２２０を駆動する。
【０１５３】
このシャブロン胴用左右方向見当調整用モータ２２０が一方向に駆動されると、第１ないし第５シャブロン胴７１ないし７５が矢印Ｙ方向に移動し、シャブロン胴用左右方向見当調整用モータ２２０が前記一方向と反対方向の他方向に駆動されると、第１ないし第５シャブロン胴７１が矢印Ｘ方向に移動する。
【０１５４】
シャブロン胴用左右方向見当調整用モータ２２０の駆動量がシャブロン胴用左右方向見当調整用ポテンショメータ２２６によって検出され、検出量と制御装置３５０に設定された設定値とが一致すると、シャブロン胴用左右方向見当調整用モータ２２０の駆動が停止し、第１ないし第５シャブロン胴７１の左右方向の見当調整が終了する。
【０１５５】
また、予め、制御装置３５０にシャブロン胴用天地方向見当調整用モータ２４０の駆動量を設定しておき、シャブロン胴用天地方向見当調整用モータ２４０を駆動する。シャブロン胴用天地方向見当調整用モータ２４０が一方向に駆動されると、第１ないし第５シャブロン胴７１が一方向に回転する。シャブロン胴用天地方向見当調整用モータ２４０が前記一方向と反対方向の他方向に駆動されると、第１ないし第５シャブロン胴７１が前記一方向と反対方向の他方向に回転する。
【０１５６】
シャブロン胴用天地方向見当調整用モータ２４０の駆動量がシャブロン胴用天地方向見当調整用ポテンショメータ２４６によって検出され、検出量と制御装置３５０に設定された設定値とが一致すると、シャブロン胴用天地方向見当調整用モータ２４０の駆動が停止し、第１ないし第５シャブロン胴７１の天地方向の見当調整が終了する。
【０１５７】
このようなコレクト胴６の凹版胴５に対する印圧調整および第１ないし第５シャブロン胴７１ないし７５のコレクト胴６に対する印圧調整ならびに第１ないし第５シャブロン胴７１ないし７５の左右方向見当調整、天地方向見当調整が終了したら、給紙装置３に試刷り用の紙２に替えて本刷りの紙２を積載し、本刷りを開始する。
【０１５８】
試刷り用の紙２によって印刷動作を開始すると同時に、凹版胴５、コレクト胴６、第１ないし第５シャブロン胴７１ないし７５の内部への通水を開始する。すなわち、図１３において、ロータリージョイント２７６の給水部２７６ａから配管４０４に給水する。給水された水が配管４００，４０３を通ることにより、凹版胴５の内部への通水が行われ、配管４０２を介して排水部２７６ｂから排水される。
【０１５９】
同時に、コレクト胴６の内部への通水を開始する。すなわち、図４において、ロータリージョイント８８の給水部８８ａから配管８１の中心水路８１ａに水を給水する。給水された水は、配管８２，８３，８５，８４，８６を通ることにより、コレクト胴６および凹版胴５（凹版胴５は図示を省略）の内部への通水が行われ、配管８１の外周水路８１ｂを介してロータリージョイント８８の排水部８８ｂから排水される。
【０１６０】
同時に、第１ないし第５シャブロン胴７１ないし７５の内部への通水を開始する。すなわち、図１２において、ロータリージョイント２７６の給水部２７６ａから配管２７０の中心水路２７０ａに水を給水する。給水された水は、配管２７１，２７３，２７２，２７４を通ることにより、第１ないし第５シャブロン胴７１ないし７５の内部への通水が行われ、配管２７０の外周水路２７０ｂを介してロータリージョイント２７６の排水部２７６ｂから排水される。
【０１６１】
この通水によって、インキ装置２５から第１ないし第５シャブロン胴７１ないし７５に供給されるインキが、コレクト胴６を経て、凹版胴５と圧胴４との間を通過する紙２に転写されるときに最適な状態となるように、制御装置３５０では、第１ないし第５シャブロン胴７１ないし７５、コレクト胴６、凹版胴５の表面の温度を制御する。
【０１６２】
すなわち、第１ないし第５シャブロン胴７１ないし７５、コレクト胴６、凹版胴５から排出された水の温度を温度センサ２７７によって検出し、この検出された温度に基づき、制御装置３５０は、ヒータ２７９をＯＮさせ、ロータリージョイント２７６の給水部２７６ａに送る水を所定の温度に加温するように制御する。ここで、第１ないし第５シャブロン胴７１ないし７５、コレクト胴６、凹版胴５の各胴の表面の温度を、それぞれＴ１，Ｔ２，Ｔ３とすると、制御装置３５０では、Ｔ１＜Ｔ２＜Ｔ３となるように制御している。
【符号の説明】
【０１６３】
１…印刷機、２…紙、３…給紙装置、４…圧胴、５…凹版胴（第１の胴）、６…コレクト胴（第２の胴）、７１ないし７５…第１ないし第５シャブロン胴（第３の胴）、８…排紙装置、３２Ａ，３２Ｂ…偏心メタル、３５Ａ…コレクト胴着脱用原動側流体圧シリンダ、３５Ｂ…コレクト胴着脱用操作側流体圧シリンダ、５５Ａ…コレクト胴用原動側印圧調整装置（第２の胴用印圧調整装置）、５５Ｂ…コレクト胴用操作側印圧調整装置（第２の胴用印圧調整装置）、５６Ａ…コレクト胴用原動側印圧調整モータ、５６Ｂ…コレクト胴用操作側印圧調整モータ、５８Ａ…コレクト胴用原動側ポテンショメータ、５８Ｂ…コレクト胴用操作側ポテンショメータ、８８，２７６…ロータリージョイント、９０…第２の胴用通水装置、９１Ａないし９５Ａ…第１ないし第５のシャブロン胴用原動側流体圧シリンダ、９１Ｂないし９５Ｂ…第１ないし第５のシャブロン胴用操作側流体圧シリンダ、１０１Ａないし１０５Ａ…第１ないし第５のシャブロン胴用原動側着脱装置、１０１Ｂないし１０５Ｂ…第１ないし第５のシャブロン胴用操作側着脱装置、１３１Ａないし１３５Ａ…第１ないし第５シャブロン胴着脱用原動側電磁弁、１３１Ｂないし１３５Ｂ…第１ないし第５シャブロン胴着脱用操作側電磁弁、１４１Ａ…シャブロン胴用原動側印圧調整装置（第３の胴用印圧調整装置）、１４１Ｂ…シャブロン胴用操作側印圧調整装置（第３の胴用印圧調整装置）、１４３Ａ，１４３Ｂ…エキセンピン、１６１Ａないし１６５Ａ…第１ないし第５シャブロン胴用原動側印圧調整モータ、１６１Ｂないし１６５Ｂ…第１ないし第５シャブロン胴用操作側印圧調整モータ、１７１Ａないし１７５Ａ…第１ないし第５シャブロン胴用原動側ポテンショメータ、１７１Ｂないし１７５Ｂ…第１ないし第５シャブロン胴用操作側ポテンショメータ、２７７…温度センサ、２７９…ヒータ、２７８…熱交換器、２７９…ヒータ、２８０…シャブロン胴用通水装置、２９１…くわえ側版万力装置、２９２…尻側版万力装置、３０８…版、３２１Ａ…コレクト胴用原動側印圧調整ボタン、３２１Ｂ…コレクト胴用操作側印圧調整ボタン、３３１Ａないし３３５Ａ…第１ないし第５シャブロン胴用原動側印圧調整ボタン、３３１Ｂないし３３５Ｂ…第１ないし第５シャブロン胴用操作側印圧調整ボタン、３４１…本機位相検出器（ロータリーエンコーダ）、３５０…制御装置、４１０…第１の胴用通水装置。
【図１】
0005997883.tif 000002
【図２】
0005997883.tif 000003
【図３】
0005997883.tif 000004
【図４】
0005997883.tif 000005
【図５】
0005997883.tif 000006
【図６】
0005997883.tif 000007
【図７】
0005997883.tif 000008
【図８】
0005997883.tif 000009
【図９】
0005997883.tif 000010
【図１０】
0005997883.tif 000011
【図１１】
0005997883.tif 000012
【図１２】
0005997883.tif 000013
【図１３】
0005997883.tif 000014
【図１４】
0005997883.tif 000015
【図１５】
0005997883.tif 000016
【図１６】
0005997883.tif 000017